(57)【特許請求の範囲】
【請求項１】
被検眼の視機能を検査するための検査視標を呈示する視標呈示装置において、異なる検査視標が設けられた複数の視標画面部を持つ第１面と該検査視標に関する視標情報が設けられた情報画面部を持つ第２面とを備える視標板と、該視標板を収納する筐体であって前記複数の視標画面部の内の１つを呈示するための視標窓と少なくとも呈示された検査視標に関する視標情報を確認可能な情報窓とを備える筐体と、所期する視標画面部を前記視標窓に移動する視標画面切換え手段と、を有することを特徴とする視標呈示装置。
【請求項２】
請求項１の視標呈示装置において、前記情報窓は前記視標窓から呈示された検査視標に関する視標情報のみを確認可能なように前記筐体に備えられていることを特徴とする視標呈示装置。
【請求項３】
請求項１の視標呈示装置において、前記検査視標は近用の検査視標であり、前記視標情報には該検査視標に関する検査距離及び／またはその検査距離における視力値が含まれることを特徴とする視標呈示装置。
【請求項４】
請求項１の視標呈示装置において、前記検査視標は近用の検査視標であり、前記視標情報には該検査視標及び／または該検査視標に関する使用方法が含まれることを特徴とする視標呈示装置。
【発明の詳細な説明】
【０００１】
【発明の属する技術分野】
本発明は、視機能を検査するための検査視標を呈示する視標呈示装置に係り、殊に近用検査に好適な視標呈示装置に関する。
【０００２】
【従来技術】
被検眼の屈折力等を検査する視機能検査には、種々の検査視標を呈示する視標呈示装置が使用される。この装置には遠用検査用のものと近用検査用のものとがある。
【０００３】
近用検査用のものには簡易的な構成のものが多く、例えば、視標窓が設けられた板状のケース内に多数の検査視標を持つ円盤状の視標板を回転可能に収納し、検者が視標板を回転操作することによって視標窓に検査視標を切換え配置して呈示するようにした装置が知られている。
【０００４】
【発明が解決しようとする課題】
検査する際には、検者は検査視標の内容やその使用方法などを知っていなければ正確な検査はできない。しかしながら、製造メーカや装置の違いによって検査視標が異なることが多いため、その全てを検者が記憶しておくことは困難である。取扱説明書等を取り出して、使用方法等を確認しながら検査することもできるが、これは検査を円滑に行う上で手間である。また、説明書等を紛失してしまうと、視標内容を十分に承知していない検者では、検査に支障が生じる可能性がある。
【０００５】
また、検査視標と共にその検査距離の文字を端の方に標記したものがあるが、これは被検者への呈示には不要であり、その文字を被検眼が注視してしまうことで視点が定まらず、検査時間が長くなってしまうことがある。
【０００６】
本発明は、上記問題点を鑑み、検査視標の使用方法等の情報を検者が容易に知ることができ、検査を円滑に行うことができる視標呈示装置を提供することを技術課題とする。
【０００７】
【課題を解決するための手段】
上記課題を解決するために、本発明は以下のような構成を備えることを特徴とする。
【０００８】
（１）  被検眼の視機能を検査するための検査視標を呈示する視標呈示装置において、異なる検査視標が設けられた複数の視標画面部を持つ第１面と該検査視標に関する視標情報が設けられた情報画面部を持つ第２面とを備える視標板と、該視標板を収納する筐体であって前記複数の視標画面部の内の１つを呈示するための視標窓と少なくとも呈示された検査視標に関する視標情報を確認可能な情報窓とを備える筐体と、所期する視標画面部を前記視標窓に移動する視標画面切換え手段と、を有することを特徴とする。
【０００９】
（２）  （１）の視標呈示装置において、前記情報窓は前記視標窓から呈示された検査視標に関する視標情報のみを確認可能なように前記筐体に備えられていることを特徴とする。
【００１０】
（３）  （１）の視標呈示装置において、前記検査視標は近用の検査視標であり、前記視標情報には該検査視標に関する検査距離及び／またはその検査距離における視力値が含まれることを特徴とする。
【００１１】
（４）  （１）の視標呈示装置において、前記検査視標は近用の検査視標であり、前記視標情報には該検査視標及び／または該検査視標に関する使用方法が含まれることを特徴とする。
【００１６】
【発明の実施の形態】
以下、本発明の一実施形態を図面に基づいて説明する。図１は近用検査に使用する視標呈示装置１を示す図である。２は複数の検査視標（検査視標については後述する）が記された円盤状の視標板３を収納した板状の筐体である。４は視標板３の検査視標を被検眼に呈示するための開口の視標窓である。視標板３はピン５を中心に回転可能に筐体２に保持され、検者が筐体２より突出した視標板３の一部を回転操作することにより、視標窓４に所望の検査視標を切換え配置することができる。なお、本実施形態では、装置１（筐体２）は前、後面同一形状となっており、筐体２の後面の視標窓４と略同じ位置には、視標窓４と略同じ大きさの情報窓７（図２参照）が設けられている。これにより、検者は視標板３の後面に記された視標情報（視標情報については後述する）を見ることができる。
【００１７】
装置１は、図２に示すように、種々の光学素子を検査窓５１に切換え配置する自覚式屈折力測定ユニット５０に近点棒５２を介して取付けることができる。装置１の筐体２には吊下げ部６が設けられており、これを測定ユニット５０に取付けられた近点棒５２に挿通して吊下げる。吊下げ部６は近点棒５２に沿って移動可能である。近点棒５２には検査距離を示す目盛が設けられており、その目盛に従って吊下げ部６を位置させることにより、装置１の検査距離を設定することができる。図２において、６０は測定ユニット５０を動作させるための各種スイッチを備えた操作部である。
【００１８】
次に、視標板３について説明する。図３は視標板３の前面の詳細図であり、図４は視標板３の後面の詳細図である。
【００１９】
図３において、点線１０内は視標窓４に相当する領域（以下、視標画面部という）を示しており、視標画面部内に描かれた検査視標が視標窓４から被検眼に呈示される。本実施形態では、視標板３の前面に１０個の視標画面部１１ａ〜１１ｊが設けられ、それぞれに検査視標１２ａ〜１２ｊが記されている。
【００２０】
検査視標１２ａは検査距離４０ｃｍにおける視力値０．１〜０．５の文字視標群、検査視標１２ｂは同じく検査距離４０ｃｍにおける視力値０．６〜１．０の文字視標群である。検査視標１２ｃ、１２ｄは上下斜位検査に使用する横１列文字視標であり、４０ｃｍの検査距離で検査視標１２ｃが視力値１．０  に相当し、検査視標１２ｄが視力値０．６  に相当する大きさで記されている。検査視標１２ｅ、１２ｆは水平斜位検査に使用する縦１列文字視標であり、４０ｃｍの検査距離で検査視標１２ｅが視力値１．０  に相当し、検査視標１２ｆが視力値０．６  に相当する大きさで記されている。検査視標１２ｇ、１２ｈは老視加入度検出検査に使用するクロスグリッド視標であり、検査視標１２ｈは検査視標１２ｇを４５度回転させたものである。検査視標１２ｉは放射線視標であり、放射線の回りに描かれた数字は４０ｃｍの検査距離で視力値０．２  に相当する大きさで記されている。検査視標１２ｊは検査距離４０ｃｍにおける視力値０．１〜１．０の数字視標群である。
【００２１】
図４において、点線１３内は情報窓７に相当する領域（以下、情報画面部という）を示しており、情報画面部内に描かれた視標情報を情報窓７から見ることができるようになっている。本実施形態では、視標板３の後面に１０個の情報画面部１４ａ〜１４ｊが設けられ、それぞれに検査視標１２ａ〜１２ｊに関する視標情報１５ａ〜１５ｊが記されている。つまり、検査視標１２ａが記された視標画面部１１ａの裏側には、検査視標１２ａに関する視標情報１５ａが記された情報画面部１４ａがあり、視標画面部１１ｂ〜１１ｊの裏側には、それぞれ情報画面部１４ｂ〜１４ｊがある。
【００２２】
視標情報１５ａ、１５ｂには、検査視標１２ａ、１２ｂの検査距離が４０ｃｍであること、及び各視標列が視力値１．０  となる距離が記されている。視標情報１５ｃ、１５ｅには検査視標１２ｃ、１２ｅが検査距離４０ｃｍで視力値１．０  に相当すること、視標情報１５ｄ、１５ｆには検査視標１２ｄ、１２ｆが検査距離４０ｃｍで視力値０．６  に相当することが記されている。視標情報１５ｇ、１５ｈには、例えば「クロスシリンダレンズをセットし、縦・横ともに同等に見えるまでプラス度数を加入する」「クロスシリンダレンズをセットし、右上り・左上りが同等に見えるまでプラス度数を加入する」のように、検査視標１２ｇ、１２ｈの使用法が記されている。視標情報１５ｉには、放射線の回りに描かれた数字が検査距離４０ｃｍで視力値０．２  に相当することが記されている。視標情報１５ｊには、検査視標１２ｊの検査距離が４０ｃｍであること、及び各視標列が視力値１．０  となる距離が記されている。
【００２３】
なお、情報画面部１４ｃ〜１４ｆ、１４ｉにもそれぞれの検査視標の使用法や簡単なまとめを記しておくと、より便利である。例えば、検査視標１２ｉの情報画面部１５ｉには、「プラス球面を加え、数字が読める程度にする。濃く見える線の数字に３０を乗じて乱視軸角度を算出する」のように使用法を記しておくと、検者の手助けとなる。
【００２４】
以上のような視標呈示装置１による近用検査の一例について説明する。まず、装置１を近点棒５２を介して測定ユニット５０に取付け、視標窓４には視力検査用の検査視標１２ａまたは１２ｂを配置して被検眼に呈示する。ここでは、まず検査視標１２ａ（図５ａ参照）を呈示するものとする。この検査視標１２ａをセットする検査距離を知りたいときは、裏側の情報窓７から視標情報１５ａ（図５ｂ参照）を見て確認することができる。また、異なる近業距離で検査するときは、視標情報１５ａによって各視標列の距離表示を確認し、その距離に装置１を配置することによって視力値１．０  が得られるか否かを検査することができる。
【００２５】
このように、視標板の後面には、前面に設けられた検査視標に関する情報が記されているので、検者は取扱説明書等を準備しなくても検査中にそれらに関する情報を確認することができる。また、視標窓からは検査視標以外は呈示されないので、被検眼が不要な文字等を見ることがなく、被検眼の視点を惑わすことなく正確に検査することができる。
【００２６】
さらに、多数（本実施形態では１０個）の視標画面部（検査視標）を設けるためには、視標板（装置自体）を大きくする必要があるが、これによって更なる効果が生じる。従来の視標板は前、後面の両面に５個前後の視標画面部（検査視標）が設けられ、その大きさは直径１５ｃｍ程度の円形であった。一方、本実施形態の視標板は前面のみに１０個の視標画面部を設けているため、その大きさを従来の倍程度にする必要がある。これを被検眼の前に配置すると、視標板（装置）が視野の大部分を占めてしまい、検査中に不要なものを被検眼に見せずに済む。
【００２７】
なお、本実施形態では、１つの視標画面部と１つの情報画面部の大きさは略同一であり、視標窓と情報窓の大きさも略同一としている。これは筐体に視標板を挿入する際に表裏を考える必要がないようにするためである。もちろん、視標画面部と情報画面部（視標窓と情報窓）の大きさは異なっていてもよく、また、前、後面でのそれぞれの位置が異なっていてもよい。
【００２８】
また、図６に示すように、視標板３の後面には前面の視標画面部と同数の情報画面部を設けなくてもよい（ここでは、検査視標全体の情報である視標情報２１が同じように記された、４個の情報画面部２２ａ〜２２ｄを設ける）。この場合は、検査視標にそれぞれ符号等を付しておくと、容易に識別でき都合がよい。また、検査視標（例えば、検査視標１２ａなど）の各視標列の距離表示は視標画面部に記しておくとよい。情報窓の大きさも、情報画面部２２ａと略同じとしてもよいし、点線２０で示す大きさとしてもよい。さらに、情報画面部には視標情報と検査視標の両方を記してもよい。
【００２９】
また、本実施形態では、視標画面部（情報画面部）の数を１０個としたが、その数はこれに限るものではない。また、検査視標についても様々なものを自由に選択して配置することができる。
【００３０】
【発明の効果】
以上説明したように、本発明によれば、各検査視標の内容や使用方法などの情報を、検者が検査中でも容易に知ることができる。また、検査中に被検眼から検査視標以外を見えないようにしたので、正確な検査を円滑に行うことができる。
【図面の簡単な説明】
【図１】実施例である視標呈示装置の外観略図である。
【図２】実施例の視標呈示装置を自覚式屈折力測定ユニットに取付けて使用するときの状態を示す図である。
【図３】視標板の前面の詳細図である。
【図４】視標板の後面の詳細図である。
【図５ａ】視標画面部、情報画面部の詳細を示す図である。
【図５ｂ】視標画面部、情報画面部の詳細を示す図である。
【図６】視標板の後面の変容例を示す図である。
【符号の説明】
２  筐体
３  視標板
４  視標窓
７  情報窓
１２ａ〜１２ｊ  検査視標
１５ａ〜１５ｊ  視標情報
【図１】
0003631005.tif 000002
【図２】
0003631005.tif 000003
【図３】
0003631005.tif 000004
【図４】
0003631005.tif 000005
【図５ａ】
0003631005.tif 000006
【図５ｂ】
0003631005.tif 000007
【図６】
0003631005.tif 000008